(57)【要約】【課題】  利用者が、点滴針を装着したり、創傷部治療のために包帯を装着したり、ギブスを装着したような状態であっても、患部を湯水で濡れないように防護し、シャワーや湯船への浸漬などの入浴・体の洗浄を行いうるようにする防水カバーを提供する。【解決手段】  体に装着した物の外側包絡線長よりも大きな内側周囲長を持つ筒型カバーの両端の内側面全周に、耐水性粘着糊を用いて少なくとも肌に接する面がスライス面である独立発泡スポンジシートを貼付て固定し、その外側面に耐水性粘着糊を用いてバンドの一部を貼付て固定し、筒型カバー両端部の体の周囲長に合わせて筒型カバー端部を折り畳んでからバンドを絞り込んで水密シールとする。【選択図】図１
2017140349.tif 000002
【特許請求の範囲】
【請求項１】
腕や脚の患部に装着した医療用装備品の突起物外形の包絡線長よりも大きな内側周囲長を持つ耐水性のプラスチックフィルムで形成された筒型の防水カバーと、前記防水カバー両端部の内側の面の全周に耐水性粘着糊を用いて貼り付けた少なくとも人体に接触する側の面がスライス面である独立発泡スポンジテープと、前記独立発泡スポンジテープの位置の前記防水カバーの外側の面に耐水性粘着糊を用いて貼り付けて一部を固定した面ファスナーバンドとを有し、前記防水カバーで患部を覆うように人体に装着後、前記防水カバー両端部を体の装着部位の周囲長に合うように前記防水カバー端部を折り返して畳んだのち、前記面ファスナーバンドを絞り込んで、前記独立発泡スポンジテープを全周に亘って押し潰し、前記防水カバー外側に水滴が跳ねかかったとしても前記防水カバー内側に水が入り込まないような水密シールを形成することを特徴とする患部防水カバー。
【請求項２】
請求項１の患部防水カバーにおいて、前記筒型の防水カバーの一方の端部が塞がれ、袋状に形成されていることを特徴とする患部防水カバー。
【請求項３】
請求項１または請求項２において、前記防水カバー端部の内側に貼り付けた独立発泡スポンジテープと同じ位置の外側の面に、耐水性粘着糊を用いて、前記防水カバー端部を体の装着部位の周囲長に合うように折り畳んだ際の折り返し点となる２カ所を覆うように、折り返し点間の距離の少なくとも３倍を超える長さよりも長い非吸水性スポンジテープを追加して貼り付けたことを特徴とする患部防水カバー。
【請求項４】
請求項１ないし請求項３のいずれかにおいて、前記患部防水カバーの装着に先んじて、前記防水カバー端部の内側全周に貼り付けて固定した前記独立発泡スポンジテープの位置に、体の装着部位の周囲長よりも内径の円周長が短く、少なくとも内径の面がスライス面である独立発泡スポンジリングを装着し、その後に装着した前記患部防水カバーの前記独立発泡スポンジテープのスライス面が前記独立発泡スポンジリングの外周全周を半径方向に押し潰すようにしたことを特徴とする患部防水カバー。
【請求項５】
患部に装着した医療用装備品の突起物の周囲を包囲し、突起物の高さ全体が覆われるような厚みを持って概ね四角環状に形成し、少なくとも人体に接触する側がスライス面である独立発泡スポンジブロックと、人体に接触する側の反対面に方形の開口部を塞ぐように耐水性粘着糊で貼り付けられた耐水性のプラスチックフィルムからなるシールドフィルムとで、箱状六面体のうちの一面が開口したキャップ状を形成し、前記シールドフィルムの上に人体の略円筒面の母線に平行な前記四角環の辺に固定された複数の補強梁と、人体の略円筒面の円周方向に平行な前記四角環の辺に一部を固定された複数の面ファスナーバンドとを装備し、前記面ファスナーバンドを絞りこむことで前記独立発泡スポンジブロックを人体の略円筒面に押付け、略円筒面の半径方向に押し潰して水密シールを形成し、かつ、患部を外部からの機械的接触から防護することを特徴とする患部防水カバー。
【請求項６】
請求項１ないし請求項４のいずれかの患部防水カバーの内側に、請求項５に示す患部防水カバーを組み合わせて装着し、患部に装着した医療用装着品に対する防水及び機械的防護機能を強化したことを特徴とする患部防水カバー。
【発明の詳細な説明】
【発明の詳細な説明】
【技術分野】
【０００１】  本発明は、腕や脚に医療用装備品を装着したままの状態で、シャワーや体の洗浄、あるいは湯船へ浸かる等の入浴を行う際に、患部を湯水で濡らすことが無いように患者が装着する防水カバーに関するものである。
【背景技術】
【０００２】  治療が長引く場合、患部に医療用装備品または部品、即ち点滴針やその付属部品、あるいは創傷部のガーゼや包帯等の被服カバー、あるいはギブス等を装着したままの状態で、シャワーや体の洗浄、あるいは湯船へ浸かる等の入浴を行う必要が生じてくる。一方、例えば点滴針は血管等の損傷を最小限に抑制するため留め置きとするのが通常である。そのため、点滴針が皮膚を貫通して血管内に挿入されている部位に湯水が浸透して濡らしてしまうと、病源菌によって感染が起こる危険性がある。そこで、例えば特許文献１には、点滴針部分を覆い湯水の浸透を防止するための防水カバーが提案されている。
【先行技術文献】
【０００３】
【特許文献１】  実用新案登録第３１８７４９３号
【特許文献２】  特開２００５−６６３０１号
【特許文献３】  特許ＧＢ２２８７１９４号
【特許文献４】  特開平１１−７６４０１号
【発明の開示】
【発明が解決しようとする課題】
【０００４】  しかしながら、特許文献１に記載のようなリング状伸縮ゴムを筒状カバーのシールとした場合には、ゴムの反力に抗してリング状伸縮ゴムの内径を当初の内径よりも大きく拡大して体表面の突起物に接触しないように移動させて装着する必要があり、装着操作を誤ると、例えば点滴針に力を加えてしまう等の危険性があった。また、防水カバーを腕に装着して水密シールに必要なシール圧力を得るには、装着後にリング状伸縮ゴム内径の適正な拡大による適正な締付力が必要であるが、リング状伸縮ゴムの内径は製作時に決定されており調節できないため、利用者ごとに腕の太さにあったリング状伸縮ゴム内径の適正サイズを選定しなければならないという課題があり、改善の余地があった。【０００５】  特許文献２に記載のような防水プロテクターは、環状留め具の利用によって、力を要せずにシール部を大きく開口して腕に装着した突起物との干渉を回避することができ、また、シール部の寸法を利用者の腕の太さに合わせて調節することが可能である。しかしながら、環状留め具は細いベルト部と溝部が連続した複雑な加工を必要とし、製造コストが高い。また、細いベルトが溝の中で反転する折り返しの先端では、防水カバー本体と肌との間にシールとなるべき環状留め具のスポンジ素材を十分に圧縮し切れない部分が存在し、連続したシール面が形成できないため、完全な水密シールが得られないという課題があり、改善の余地があった。【０００６】  また、例えば特許文献３においては、シール部にウェットスーツに用いられる薄いスポンジシートをリング状に切り出し、リングの外径側を袋状防水カバーの入り口の全周に接着し、内径側に腕を挿入する方式が提案されている。シール素材がスポンジシートであるためゴムに比べ変形量が大きく腕の太さに対する適合範囲は特許文献２の事例よりも広いものの、内径寸法が固定であるため、やはり利用者ごとに腕の太さにあったリング内径の適正サイズを選定する必要があった。また、スポンジシート面に開けた穴の縁の角部稜線を主たるシールリップとし、かつ稜線に続くスポンジシート面の肌への押し当ても加担して水密シールする原理であるが、スポンジシートの肌への接触面積が少なく、即ち湯水の流入方向のシール厚みが薄いため、シール厚みを超える大きさの皺や体毛などの凹凸があるとシール効果が減ぜられ、湯水の侵入を防ぎきれないという課題があり、改善の余地があった。【０００７】  また、特許文献４では、点滴針周辺を囲む可撓性フレームとカバーとを面ファスナーベルトで腕に密着させて水密構造とし、同時に点滴針への機械的接触を防護する方式が提案されている。しかしながら、可撓性フレームの全周が腕に巻き付いて密着する柔軟性を持って変形し、その可撓性フレームの形状変化に追従して柔軟に変形しつつも、外力に抵抗して点滴針を防護できるようなカバーについて具体的な提示はない。また、別の実施例で提案されている方法では筒状体の両端を単にベルトで絞りこむのみで水密シールを構成するシール法が提示されておらず、湯水の侵入を阻止できるものとはなっていないという課題があった。【０００８】  本発明は、上記の課題を踏まえ、装着する時に力を要せず、筒型カバーが大きく開口して突起��との接触を回避でき、調節によって装着部位の太さに適合でき、シールの全体に亘って常に必要な押し潰し量即ちシール力が確保されて安定確実なシールができ、肌に皺や体毛等の凹凸があったとしても確実に水密シールする事ができ、装着した点滴針等を外力から防護することのできる患部防水カバーを提供することを目的とする。
【課題を解決するための手段】
【０００９】  本発明の筒型患部防水カバーは、腕や脚の患部に装着した点滴針とその付属部品、あるいは創傷部被服カバーやギブス等の突起物外形の包絡線長よりも大きな内側周囲長を持つ耐水性のプラスチックフィルムで形成された筒型の防水カバーと、前記防水カバーの両端部の内側の面の全周に耐水性粘着糊を用いて貼り付けた少なくとも人体に接触する側の面がスライス面である独立発泡スポンジテープと、前記独立発泡スポンジテープの位置の前記防水カバーの外側の面に耐水性粘着糊を用いて貼り付けて一部を固定した面ファスナーバンドとを有し、前記防水カバーで患部を覆うように人体に装着後、前記防水カバーの両端部で体の装着部位の周囲長に合うように前記防水カバー端部を折り返して畳んだのち、前記面ファスナーバンドを絞り込んで、前記独立発泡スポンジテープを全周に亘って押し潰し、前記防水カバー外側に水滴が跳ねかかったとしても前記防水カバー内側に水が入り込まないような水密シールを形成することを特徴とする。【００１０】  また、本発明の袋型患部防水カバーは、前記筒型の防水カバーの一方の端部が塞がれた袋状に形成されているものとできる。【００１１】  また、本発明の患部防水カバーは、前記防水カバー端部の内側に貼り付けた独立発泡スポンジテープと同じ位置の外側の面に耐水性粘着糊を用いて、前記防水カバー端部を折り畳む際の折り返し点となる２カ所を覆うように、折り返し点間の距離の少なくとも３倍を超える長さよりも長い非吸水性スポンジテープを追加し貼り付けて固定したものとできる。【００１２】  また、本発明の患部防水カバーは、前記患部防水カバーの装着に先んじて、前記防水カバー端部の内側全周に貼り付けて固定した前記独立発泡スポンジテープの位置に、人体の装着部位の周囲長よりも内径の円周長が短く、少なくとも内径の面がスライス面である独立発泡スポンジリングを装着し、その後に装着した前記患部防水カバーの前記独立発泡スポンジテープが前記独立発泡スポンジリングの外周全周を半径方向に押し潰すようにしたものとできる。【００１３】  また、本発明のキャップ型患部防水カバーは、患部に装着した点滴針とその付属部品、あるいは創傷部のガーゼのような被服カバー等の突起物の周囲を包囲し、突起物の高さ全体が覆われるような厚みを持って概ね四角環状に形成し、少なくとも人体に接触する側がスライス面である独立発泡スポンジブロックと、人体に接触する側の反対面に方形の開口部を塞ぐように耐水性粘着糊で貼り付けられた耐水性のプラスチックフィルムからなるシールドフィルムとで、箱状六面体のうちの一面が開口したキャップ状を形成し、前記シールドフィルムの上に人体の略円筒面の母線に平行な前記四角環の辺に固定された複数の補強梁と、人体の略円筒面の円周方向に平行な前記四角環の辺に固定された複数の面ファスナーバンドとを装備し、前記面ファスナーバンドを絞りこむことで前記独立発泡スポンジブロックを人体の略円筒面に押付け、略円筒面の半径方向に押し潰して水密シールを形成し、かつ、患部を外部からの機械的接触から防護することを特徴とする。【００１４】  また、本発明の患部防水カバーは、前記筒型患部防水カバー又は前記袋型患部防水カバーの内側、あるいは前記筒型患部防水カバー又は袋型患部防水カバーと独立発泡スポンジリングを併用した患部防水カバーの内側に、前記キャップ型患部防水カバーを組み合わせて装着し、患部に装着した医療用装備品に対する防水及び機械的防護機能を強化したものとできる。
【発明の効果】
【００１５】  本発明によれば、下記の効果を享受できる。【００１６】  防水カバー内側の周囲長が、突起物外形の包絡線長よりも大きいので、人体に装着した突起物に触れることなく、患部防水カバーを装着できる。【００１７】  また、体格の異なる不特定多数の患者に対しても、独立発泡スポンジテープを貼り合せた防水カバー端部のプラスチックフィルムを折り返して畳み込めば、簡単に個々人の装着部位の太さに合わせ込むことができる。【００１８】  また、内径の小さなリング状の伸縮ゴムに指を掛けて広げる必要が無く、装着するのに力が不要である。そのため、ハンドリングミスで突起物に力を加えてしまう危険性が少ない。【００１９】  また、防水カバー端部シールに用いるスポンジが、一定幅のテープ状なので、複雑な形状に加工する必要が無く、安価に製作できる。【００２０】  また、防水カバー端部シールに用いるスポンジが、柔らかく切欠き欠損がない一定幅のテープ状なので肌との間で連続したシール面を形成でき、確実に湯水の浸入を阻止できる。【００２１】  また、防水カバー端部のシールに用いるスポンジが、一定幅のテープ状であり、そのテープの肌への接触面全面が水密シールとして働くので、洗浄動作などの利用者の運動や水圧変化のような水密シールを破綻させる要因に対して、ゆとりを持って湯水の浸入を阻止できる。【００２２】  また、防水カバー端部のシールに用いるスポンジが、独立発泡スポンジなので、スポンジ内を浸透して湯水が浸入することが無い。【００２３】  また、成型時の皮膜を除去しないままのスポンジは肌に押付けるなどして変形した時に、皮膜に皺が生じて湯水が浸透し漏れが起こる。シールに用いる独立発泡スポンジの肌に接する面が、ゴム皮膜をスライスカットで除去したスライス面なので、スポンジを変形させても表面に皺が形成されることが無く、湯水が浸入することが無い。【００２４】  また、防水カバー端部のシールに用いる独立発泡スポンジの肌に接する面が、ゴム皮膜を除去したスライス面なので、肌に押付けられた時に無数の柔軟なシールリップが肌に密着する効果が得られ、肌面に皺や体毛等の凹凸があったとしても湯水の浸入を阻止できる。【００２５】  また、防水カバー端部の内側に貼り付けた独立発泡スポンジテープと同じ位置の外側の面に所定の長さ以上の非吸水性スポンジテープを追加して貼り付けているので、折り返しの部分での耐水性粘着糊層の曲率を緩和でき、シール部が傷みにくく効果を長く持続できる。【００２６】  また、非吸水性スポンジテープを防水カバー端部の内側に貼り付けた独立発泡スポンジテープと対向して同じ長さで貼り付けた場合には、スポンジ層の重なりによって厚みが増える分だけ押し潰し量が大きく取れ、クッション効果によって押し潰し力の変化を吸収し易くなり、シール効果が安定する。【００２７】  また、先に独立発泡スポンジリングを装着し、そのスポンジリングを面ファスナーバンドがスポンジテープを介して押し潰す方式を取ることによって、防水カバーの折り返しによる重なりから生じるスポンジテープの局所的な押し潰し率の差を緩和し、シールの全周に亘ってほぼ均一なシール力が得られ、湯水がより浸入し難くなる。【００２８】  また、独立発泡スポ��ジテープと独立発泡スポンジリングを重ねることで押し潰し量が大きく取れ、より大きなクッション効果によって押し潰し力の変化を吸収することができ、激しい運動においてもシール効果がより破綻し難くなる。【００２９】  また、独立発泡スポンジ製の四角環状の壁と耐水性プラスチックフィルム製のシールドフィルムの天井で形成した箱状のキャップ型患部防水カバーによれば、点滴針のような外力を加えてはならない装着物を機械的接触から防護することができる。【００３０】  また、いくつかの防水カバーのオプション部品を取り揃えることで、シャワーでの利用に限られるが簡素で手軽な防水や、水圧の加わる湯船への浸漬にも耐える強固な防水、あるいは、意図しない患部への接触によるトラブルを回避する機械的防護も兼ねた防水等、目的と費用に応じた選択肢を提供することができる。
【図面の簡単な説明】
【００３１】
【図１】本発明の筒型患部防水カバーを腕に装着した時の外観図である。
【図２】本発明の袋型患部防水カバーを腕に装着した時の外観図である。
【図３】本発明の筒型患部防水カバーまたは袋型患部防水カバーの端部のシールの構成を示す部分詳細図である。
【図４】本発明の筒型患部防水カバーまたは袋型患部防水カバーと、独立発泡スポンジリングとを装着した時の部分断面図である。
【図５ａ】本発明の機械的接触を防護するキャップ型防水カバーの装着前の外観図である。
【図５ｂ】本発明の機械的接触を防護するキャップ型防水カバーを腕に装着した時の外観図である。
【発明を実施するための形態】
【００３２】  以下に本発明の患部防水カバーの実施形態について、図面を参照しながら詳細を述べる。
【００３３】  図１は、本発明の筒型患部防水カバー１０を腕０に装着した時の外観図である。
同図に示す筒型患部防水カバー１０は、腕０の患部１に装着した点滴針とその付属部品、あるいはガーゼや包帯などの創傷部被服カバー、あるいはギブス等の突起物外形の包絡線長よりも大きな内側周囲長を持つ耐水性のプラスチックフィルムで形成された筒型の防水カバー３１と、前記防水カバー３１両端の内側の面の全周に耐水性粘着糊３５を用いて貼り付けた少なくとも人体に接触する側の面がスライス面である独立発泡スポンジテープ３３と、前記独立発泡スポンジテープ３３の位置の前記防水カバー３１の外側の面に耐水性粘着糊３５を用いて貼り付けて一部を固定した面ファスナーバンド３６と、前記面ファスナーバンド３６の一端３７に取り付けられたバンド折り返し用の四角環３９とからなり、前記防水カバー３１で患部１を覆うように人体に装着後、前記防水カバー３１の両端部を体の装着部位の周囲長に合うように前記防水カバー端部３２を折り返して畳んだのち、前記面ファスナーバンド３６の他端３８を前記面ファスナーバンド３６の一端３７に取り付けた前記四角環３９を通して反転し、前記面ファスナーバンド３６を絞り込んで、前記独立発泡スポンジテープ３３を全周に亘って押し潰し、装着者がシャワーを浴びたり水浴びをするなどして前記防水カバー３１の外側に水滴が跳ねかかったとしても前記防水カバー３１の内側に水が入り込まないような水密シールを形成することを特徴とする。
【００３４】  筒型患部防水カバー１０においては、手首から先の掌や指全体が防水カバー３１に覆われず露出しているので、装着した時に開放感があって快ちよいほか、自在に動かす事が出来るので、装着者自身が体を洗ったり拭いたり、あるいは手摺を握ったり水栓を操作するなど、自律性を確保する事が出来る。
【００３５】  図２は、本発明の袋型患部防水カバー２０を腕０に装着した時の外観図である。同図に示す袋型患部防水カバー２０においては、前記筒型の防水カバー３１の一方の端が塞がれ、袋状に形成されていることを特徴とする。袋型の防水カバー３１としてシール部が１か所なので安価に製造できるほか、手首から指までの部分が袋に覆われるので自在に動かす事が出来ず、手指を動かすことを禁止・抑制する用途に用いることができる。
【００３６】  図３は、本発明の筒型患部防水カバー１０あるいは袋型患部防水カバー２０を腕０に装着した時の防水カバー端部３２のシールの構成を示す詳細説明図である。
【００３７】  防水カバー３１の材質は、長時間入浴する場合に生じる汗をカバー内部に滞留させないために水は通さないが水の蒸気は通す透湿性材料であってもよいが、通常は汎用のポリエチレンであってよい。
フィルムの厚みは、主にゴワゴワ感のない柔軟性を求める時には２５μ程度まで薄くし、袋型患部防水カバー２０を着用して歩行する用途などの耐久性を求める時には１５０μ程度まで厚くするなど、目的に応じて選定する事ができる。特に強い耐久性を求める場合には、繊維等で補強したフィルムを用いてもよい。
また、プラスチックフィルムを筒状に丸めたり、２枚の整形カットしたフィルムを重ねてから対向する辺を接着したり熱圧着したりして形成してもよいが、継目のないパイプ状のプラスチックチューブから形成してもよい。
また、プラスチックフィルムは材料が不透明であったり着色されたりあるいは表面に模様を配したものであってもよいが、防水カバー３１内部の装着物の様子が観察できたり、万一の湯水の漏れをチェックできたりするので、透明または半透明であるのが好ましい。
【００３８】  独立発泡スポンジテープ３３の断面寸法は、幅１０ｍｍから５０ｍｍ以内、厚み２ｍｍから５ｍｍ以内に製作するのがよく、より好ましくは、幅２５ｍｍから４０ｍｍ、厚み３ｍｍ程度とするのがよい。幅が狭すぎる場合には、運動によって局所的に筋肉が収縮した時に必要なシール圧が得られない部分が生じたり、あるいは肌に体毛が多い時に水密シールが不安定となり、必要以上に広すぎる場合にはシール機構として無駄であり、装着した時邪魔になる。厚みが薄すぎる場合には、装着部位に凹凸があった時に必要なシール圧力を確保できない部分が生じたり、厚すぎる場合には、折り返しの重なり部分の先端でシール圧に段差が生じ、必要なシール圧力が得られない部分が生じて漏れが起こる。
【００３９】  独立発泡スポンジテープ３３の材質は、ウェットスーツにも用いられているクロロプレンゴムスポンジが好ましく、硬度はアスカーゴム硬度Ｃ５未満の柔らかいものが好ましい。
また、単独発泡スポンジテープ３３の、少なくとも肌に接触する側の面は、スポンジ成型時に形成される薄い皮膜をスライスカットで除去したスライス面であることが必須である。皮膜を除去しない場合、スポンジを圧縮した時の変形によって皮膜の表面に皺が生じ、表面張力によって皺に湯水が浸透し、防水カバー３１内部へ漏れ出てしまうことを防げない。皮膜を除去したスライス面とすることによって、変形による皺の発生を防ぐ事が出来る。また、独立発泡スポンジのスライス面にすることによって、肌に押付けた時に押付けられた面の全域で、独立発泡スポンジを形成する無数の気泡の境界壁がシールリップとなって、湯水の侵入を強固に阻止するものとなる。
また、独立発泡であることによって、スポンジ内部に湯水が浸透することがなく、従ってシール部を通過して防水カバー３１の内部へ漏れ出てしまうことが無い。
また、独立発泡スポンジは内部に湯水が浸透しないので、使用後に表面の水を拭き取れば乾燥が速く清潔を保つことができるほか、次回使用時に濡れていないカバーを装着できるので不快感が無い。
【００４０】  非吸水性スポンジテープ３４は、防水カバー端部３２の内側に貼り付けた独立発泡スポンジテープ３３と同じ位置の外側の面に耐水性粘着糊３５を用いて貼り付けるスポンジテープである。
非吸水性スポンジテープ３４は、防水カバー３１の内側に貼り付けられた独立発泡スポンジテープ３３の折り返し部分の曲率が大きいことに起因して、繰り返しの折り曲げによる無理な力がスポンジ組織を傷めて独立発泡性を破壊したり、粘着糊層を剥離させてしまうリスクを回避し、防水性を長寿命化する目的で追加されるものである。そのため、防水カバー端部３２を折り畳む際に折り返し点となる２カ所を覆うように、折り返し点間の距離の少なくとも３倍を超える長さよりも長く、幅と厚みは防水カバー３１の内側に貼り付けられた独立発泡スポンジテープ３３と同一としている。
また、非吸水性スポンジテープ３４を更に長くし、防水カバー端部３２の全周に設けた場合には、防水カバー３１の内側と外側でスポンジテープが二重に重なるため水密シールに必要なスポンジテープの押し潰し量を大きくしなければならないものの、クッション効果によって使用中の巻き付け部位の凹凸の変化に対してシール力の変化を鈍感にする事が出来、安定した水密シールを得る事が出来る。
また、非吸水性スポンジテープ３４として、皮膜付のスポンジテープを使用してもよいが、荷重による変形の特性を同一とするため防水カバー３１の内側に貼り付けたスライス面の独立発泡スポンジテープ３３と同一のものを使用することでもよい。
また、非吸水性とするのは、使用後の乾燥を速めるためである。
【００４１】  耐水性粘着糊３５は、気密・防水用を謳う両面テープであってもよく、貼付後にも粘着剤層が硬化せずに柔軟性を保ち続けるアクリル系粘着剤であればよい。
【００４２】  面ファスナーバンド３６は、防水カバー端部３２の独立発泡スポンジテープ３３の位置に重ねて防水カバー３１の外周の１／４周から１／２周の長さに亘って耐水性粘着糊３５を用いて貼り付けて固定した面ファスナーバンド３６本体と、面ファスナーバンドの一端３７に取り付けられたバンド折り返し用の四角環３９とからなり、防水カバー３１で患部１を覆うように人体に装着後、体の装着部位の周囲長に合うように防水カバー端部３２を折り返して畳んだのち、面ファスナーバンドの他端３８を面ファスナーバンドの一端３７に取り付けられた四角環３９を通して反転し、面ファスナーバンド３６を絞り込んで、独立発泡スポンジテープ３３を全周に亘って押し潰し、装着者がシャワーを浴びたり水浴びをするなどして防水カバー３１の外側に水滴が跳ねかかったとしても、防水カバー３１の内側に水が入り込まないような水密シールを形成するものである。面ファスナーバンド３６を防水カバー３１の外周の１／４周以上固定しないと、使用中に面ファスナーバンド３６が独立発泡スポンジテープ３３の位置からずれてしまい水密シールが不完全になったり、逆に１／２周以上固定すると、装着部位の太さに対する調整代が少なくなって使用勝手が悪くなる。
また、面ファスナーバンド３６の幅は、独立発泡スポンジテープ３３の中心位置から多少ずれてしまっても滑り落ちてしまうことの無いよう、独立発泡スポンジテープ３３の幅と同じか、またはやや狭いのが好ましい。
また、面ファスナーバンド３６は、その一部が長手方向に伸び縮みする弾性バンドで構成されていると押し潰し力が安定し、より好ましい。
【００４３】  図４は、筒型患部防水カバー１０または袋型患部防水カバー２０と、独立発泡スポンジリング４０とを装着した時の部分断面図である。
図４は、筒型患部防水カバー１０または袋型患部防水カバー２０の装着に先んじて、防水カバー端部３２の内側の全周に貼り付けて固定した独立発泡スポンジテープ３３の位置に、人体の装着部位の周囲長よりも内径の円周長が短く、少なくとも内径の面がスライス面である独立発泡スポンジリング４０を装着し、その後に装着した患部防水カバーの端部３２の最外周に貼り付けた面ファスナーバンド３６が独立発泡スポンジテープ３３を介して前記独立発泡スポンジリング４０の外周全周を半径方向に押し潰すようにしたものである。
独立発泡スポンジリング４０を独立発泡スポンジテープ３３で押し潰すことによって、独立発泡スポンジテープ３３の折り返し部の重なりの境界に生じる不連続な押し潰し力の変化を吸収したり、薄い独立発泡スポンジテープ３３を使用したとしても独立発泡スポンジリング４０の厚みを含めたクッション効果で装着部位の凹凸による押し潰し力の変化を吸収したりすることができて有利である。
独立発泡スポンジリング４０の断面寸法のうち、幅については、独立発泡スポンジテープ３３の幅よりも広いのがよく、幅２０ｍｍから５０ｍｍ以内、より好ましくは、幅２５ｍｍから４０ｍｍとするのがよい。独立発泡スポンジリング４０の幅が独立発泡スポンジテープ３３の幅よりも狭い場合には、面ファスナーバンド３６を締め付けた時に面ファスナーバンド３６が独立発泡スポンジリング４０からずれて外れてしまう恐れが高い。リングの厚みは、５ｍｍから１０ｍｍ以内に製作するのが好ましい。
独立発泡スポンジリング４０の材質や硬度は、独立発泡スポンジテープ３３と同等でよい。
【００４４】  図５ａは、機械的接触を防護する機能を併せ持つキャップ型患部防水カバー５０の装着前の外観図であり、図５ｂは、装着後の外観図である。
キャップ型患部防水カバー５０は、腕０の患部１に装着した点滴針とその付属部品、あるいは創傷部のガーゼのような被服カバー等の突起物の周囲を包囲し、突起物の高さ全体が覆われるような厚みを持って概ね四角環状に形成し、少なくとも人体に接触する側がスライス面である独立発泡スポンジブロック５１と、人体に接触する側の反対面に方形の開口部を塞ぐように耐水性粘着糊３５で貼り付けられた耐水性のプラスチックフィルムからなるシールドフィルム５２とで、一面が開放した箱状体を形成し、前記シールドフィルム５２の上に人体の略円筒面の母線に平行な前記四角環の辺に固定された複数の補強梁５３と、人体の略円筒面の円周方向に平行な前記四角環の辺に一部を固定された複数の面ファスナーバンド３６とを装備し、面ファスナーバンド３６を絞りこむことで独立発泡スポンジブロック５１を人体の略円筒面に押付け、略円筒面の半径方向に押し潰して水密シールを形成し、かつ、患部１を外部からの機械的接触から防護することを特徴とするものである。
【００４５】  独立発泡スポンジブロック５１の寸法は、点滴針とその付属部品であるコックやその間の連結チューブを防護するものと想定すると、四角環の厚みは２０ｍｍ、方形の開口寸法は１２０ｍｍ×７０ｍｍ、方形の外側寸法は１７０ｍｍ×１２０ｍｍ以上であることが好ましい。独立発泡スポンジブロック５１の装着後の座りの安定性を確保するためには、辺の幅は四角環の厚みよりも広くすることが好ましい。
独立発泡スポンジブロック５１の材質や硬度は、独立発泡スポンジテープ３３と同等でよい。
【００４６】  シールドフィルム５２は、厚み２５μから５０μの透明なポリエチレンフィルムであることが好ましい。
【００４７】  補強梁５３は、四角環状のブロックの辺を広い面で均等に押し付け、やや膨らみを持った略円錐台状の人体に沿って均等な押し付け力を発揮する柔軟性を得るため、直径８ｍｍから１０ｍｍの半円形の断面をした木材あるいはプラスチックの棒であることが好ましい。
【００４８】  機械的接触を防護する機能を併せ持つキャップ型患部防水カバー５０は、シャワーを浴びる程度の時は単独で使用することも可能であるが、湯船に浸かるなど水圧が加わる時には筒型患部防水カバー１０などと組み合わせた二重防護の患部防水カバーとして使用するのが好ましい。
【００４９】  ここまで、一つの実施例として好ましい形を提示してきたが、細部の詳細については、本来の趣旨・目的を逸脱しない範囲で異なった形態としてもよい。
【符号の説明】
【００５０】０      腕
１      患部
１０    筒型患部防水カバー
２０    袋型患部防水カバー
３１    防水カバー
３２    防水カバー端部
３３    独立発泡スポンジテープ
３４    非吸水性スポンジテープ
３５    耐水性粘着糊
３６    面ファスナーバンド
３７    面ファスナーバンドの一端
３８    面ファスナーバンドの他端
３９    （面ファスナーバンドの）四角環
４０    独立発泡スポンジリング
５０    キャップ型患部防水カバー
５１    独立発泡スポンジブロック
５２    シールドフィルム
５３    補強梁
【図１】
2017140349.tif 000003
【図２】
2017140349.tif 000004
【図３】
2017140349.tif 000005
【図４】
2017140349.tif 000006
【図５ａ】
2017140349.tif 000007
【図５ｂ】
2017140349.tif 000008